(57)【要約】【課題】この発明は、ネットワークから取得した情報の再生時に音声再生系を有効に活用して、ユーザにとっての利便性の向上を図るようにした放送受信装置及び放送受信方法を提供することを目的としている。【解決手段】受信した放送信号から映像信号及び音声信号を復元して映像表示及び音声再生を行なっている状態で、ネットワーク情報網から取得した情報の映像成分の映像表示に切り替える際、受信していた放送の音声再生を継続させる。ネットワーク情報網から取得した情報の音声成分については、その再生が要求されている期間だけ、放送の音声信号に代えて音声再生されるようにする。【選択図】    図３
2005136915.tif 000002
【特許請求の範囲】
【請求項１】
受信した放送信号から所定のチャンネルの信号を選局する選局手段と、
前記選局手段で選局された放送信号から映像信号及び音声信号を復元する信号処理手段と、
外部のネットワーク情報網にアクセスして情報を取得する通信手段と、
前記通信手段により前記ネットワーク情報網から取得した情報の映像成分と前記信号処理手段により復元された映像信号とを選択的または重畳して出力する映像出力手段と、
前記通信手段により前記ネットワーク情報網から取得した情報の音声成分と前記信号処理手段により復元された音声信号とを選択的または重畳して出力する音声出力手段と、
前記映像出力手段に対して前記ネットワーク情報網から取得した情報の映像成分を出力することが要求されている状態で、前記音声出力手段に対して、前記信号処理手段により復元された音声信号を出力させるように制御するとともに、前記ネットワーク情報網から取得した情報の音声成分を出力することが要求されている期間は、前記ネットワーク情報網から取得した情報の音声成分を出力するように制御する制御手段とを具備したことを特徴とする放送受信装置。
【請求項２】
前記制御手段は、
前記映像出力手段に対して前記ネットワーク情報網から取得した情報の映像成分を出力することが要求されている状態で、
前記音声出力手段に対して、前記信号処理手段により復元された音声信号を出力させるように制御するか否かを、外部から操作されることによって設定可能な設定手段を具備したことを特徴とする請求項１記載の放送受信装置。
【請求項３】
前記制御手段は、
前記映像出力手段に対して前記ネットワーク情報網から取得した情報の映像成分を出力することが要求され、前記音声出力手段が前記信号処理手段により復元された音声信号を出力させるように制御されている状態で、
前記ネットワーク情報網から取得した情報により音声再生の開始が要求されたとき、前記音声出力手段を前記ネットワーク情報網から取得した情報の音声成分を出力するように制御し、
前記ネットワーク情報網から取得した情報により音声再生の完了が通知されたとき、前記音声出力手段を前記信号処理手段により復元された音声信号を出力するように制御することを特徴とする請求項１または２記載の放送受信装置。
【請求項４】
前記制御手段は、
前記映像出力手段に対して前記ネットワーク情報網から取得した情報の映像成分を出力することが要求されなくなった状態で、
前記映像出力手段及び前記音声出力手段に対して、前記信号処理手段により復元された映像信号及び音声信号をそれぞれ出力させるように制御することを特徴とする請求項１乃至３いずれかに記載の放送受信装置。
【請求項５】
前記制御手段は、
前記映像出力手段に対して前記ネットワーク情報網から取得した情報の映像成分を出力することが要求され、前記音声出力手段が前記信号処理手段により復元された音声信号を出力させるように制御されている状態で、
前記選局手段により受信チャンネルが変更された場合、その変更されたチャンネルの放送信号から前記信号処理手段により復元された音声信号を、前記音声出力手段により出力させることを特徴とする請求項１乃至４いずれかに記載の放送受信装置。
【請求項６】
受信した放送信号から所定のチャンネルの信号を選局する選局工程と、
前記選局工程で選局された放送信号から映像信号及び音声信号を復元して映像表示及び音声再生を行なう表示再生工程と、
前記表示再生工程で映像表示及び音声再生が行なわれている状態で、外部のネットワーク情報網にアクセスして情報を取得する情報取得工程と、
前記情報取得工程で情報が取得された状態で、前記表示再生工程で復元された音声信号の音声再生を継続させるか否かを判別する判別工程と、
前記判別工程により前記表示再生工程で復元された音声信号の音声再生を継続させると判断された状態で、前記表示再生工程で復元された音声信号の音声再生を継続させて、前記情報取得工程で取得した情報の映像成分を前記放送信号から復元された映像信号に代えて映像表示する映像表示工程と、
前記映像表示工程により前記情報取得工程で取得した情報の映像成分が映像表示されている状態で、該情報に含まれる音声成分の再生が要求されている期間、前記情報取得工程で取得した情報の音声成分を前記放送信号から復元された音声信号に代えて音声再生する音声再生工程とを具備したことを特徴とする放送受信方法。
【請求項７】
前記映像表示工程は、前記情報取得工程で取得した情報の映像成分が映像表示されている状態で、前記表示再生工程で復元された音声信号の音声再生を行なうか否かを、外部操作によって設定する工程を具備したことを特徴とする請求項６記載の放送受信方法。
【請求項８】
前記音声再生工程は、
前記情報取得工程で取得した情報の映像成分が映像表示され、前記表示再生工程で復元された音声信号が音声再生されている状態で、
前記情報取得工程で取得した情報により該情報に含まれる音声成分の再生開始が要求された状態で、前記情報取得工程で取得した情報の音声成分を、前記放送信号から復元された音声信号に代えて音声再生させ、
前記情報取得工程で取得した情報により該情報に含まれる音声成分の再生完了が通知された状態で、前記放送信号から復元された音声信号を、前記情報取得工程で取得した情報の音声成分に代えて音声再生させることを特徴とする請求項６または７記載の放送受信方法。
【請求項９】
前記映像表示工程は、前記情報取得工程による前記ネットワーク情報網からの情報の取得が終了した状態で、前記放送信号から復元された映像信号及び音声信号の映像表示及び音声再生を行なうことを特徴とする請求項６乃至８いずれかに記載の放送受信方法。
【請求項１０】
前記映像表示工程は、前記情報取得工程で取得した情報の映像成分が映像表示され、前記表示再生工程で復元された音声信号が音声再生されている状態で、受信チャンネルが変更された場合、その変更されたチャンネルの放送信号から復元された音声信号を音声再生することを特徴とする請求項６乃至９いずれかに記載の放送受信方法。
【発明の詳細な説明】
【技術分野】
【０００１】
この発明は、例えばテレビジョン放送等を受信する放送受信装置及び放送受信方法に係り、特にネットワークに接続して情報を閲覧する機能を有するものに関する。
【背景技術】
【０００２】
周知のように、首記の如き放送受信装置において、テレビジョン放送の受信時には、選局した放送チャンネルの映像表示及び音声再生が行なわれる。また、ネットワーク接続時には、放送チャンネルに代えてネットワークから取得した情報の映像表示及び音声再生が行なわれる。
【０００３】
ところで、ネットワークから取得した情報は、その大半が主要な内容を映像に有しており、映像が表示されていれば、ユーザは、情報の内容を認識することが可能である。すなわち、音声は、例えば効果音等の副次的な役割を担っているに過ぎず、ネットワークから取得した情報の再生時には、音声再生系が実質的に活用されていないことになる。
【０００４】
特許文献１には、テレビジョン放送番組を鑑賞しながら、これと関連付けられたネットワーク上のハイパーテキスト情報等を容易に取得可能とする構成が開示されている。しかしながら、この特許文献1では、ネットワークから取得した情報の再生時に音声再生系の有効活用を図ることについては何らの記載もなされていないものである。
【特許文献１】特開２００３−１８５７５号公報
【発明の開示】
【発明が解決しようとする課題】
【０００５】
そこで、この発明は上記事情を考慮してなされたもので、ネットワークから取得した情報の再生時に音声再生系を有効に活用して、ユーザにとっての利便性の向上を図るようにした放送受信装置及び放送受信方法を提供することを目的とする。
【課題を解決するための手段】
【０００６】
この発明に係る放送受信装置は、受信した放送信号から所定のチャンネルの信号を選局する選局手段と、選局手段で選局された放送信号から映像信号及び音声信号を復元する信号処理手段と、外部のネットワーク情報網にアクセスして情報を取得する通信手段と、通信手段によりネットワーク情報網から取得した情報の映像成分と信号処理手段により復元された映像信号とを選択的または重畳して出力する映像出力手段と、通信手段によりネットワーク情報網から取得した情報の音声成分と信号処理手段により復元された音声信号とを選択的または重畳して出力する音声出力手段と、映像出力手段に対してネットワーク情報網から取得した情報の映像成分を出力することが要求されている状態で、音声出力手段に対して、信号処理手段により復元された音声信号を出力させるように制御するとともに、ネットワーク情報網から取得した情報の音声成分を出力することが要求されている期間は、ネットワーク情報網から取得した情報の音声成分を出力するように制御する制御手段とを備えるようにしたものである。
【０００７】
また、この発明に係る放送受信方法は、受信した放送信号から所定のチャンネルの信号を選局する選局工程と、選局工程で選局された放送信号から映像信号及び音声信号を復元して映像表示及び音声再生を行なう表示再生工程と、表示再生工程で映像表示及び音声再生が行なわれている状態で、外部のネットワーク情報網にアクセスして情報を取得する情報取得工程と、情報取得工程で情報が取得された状態で、表示再生工程で復元された音声信号の音声再生を継続させるか否かを判別する判別工程と、判別工程により表示再生工程で復元された音声信号の音声再生を継続させると判断された状態で、表示再生工程で復元された音声信号の音声再生を継続させて、情報取得工程で取得した情報の映像成分を放送信号から復元された映像信号に代えて映像表示する映像表示工程と、映像表示工程により情報取得工程で取得した情報の映像成分が映像表示されている状態で、該情報に含まれる音声成分の再生が要求されている期間、情報取得工程で取得した情報の音声成分を放送信号から復元された音声信号に代えて音声再生する音声再生工程とを備えるようにしたものである。
【発明の効果】
【０００８】
上記した発明によれば、受信した放送信号から映像信号及び音声信号を復元して映像表示及び音声再生を行なっている状態で、ネットワーク情報網から取得した情報の映像成分の映像表示に切り替える際、受信していた放送の音声再生を継続させることにより、ユーザは、ネットワーク情報網から取得した情報を見ながら放送の音声を聞くことができる。これにより、ユーザは、ネットワーク情報を見ている状態であっても、音声を聞くことによって放送番組の概略を把握することができるので、必要なタイミングで元の放送番組の視聴に戻ることができ、音声再生系を有効に活用して、ユーザにとっての利便性の向上を図ることができる。また、ネットワーク情報網から取得した情報の音声成分については、その再生が要求されている期間だけ、放送の音声信号に代えて音声再生されるようにしたので、ネットワーク情報を見ながらの操作時等に、効果音を聞くことができる。
【発明を実施するための最良の形態】
【０００９】
以下、この発明の実施の形態について図面を参照して詳細に説明する。図１は、この実施の形態で説明するテレビジョン放送受信システムの概略を示している。すなわち、アンテナ１１で受信されたテレビジョン放送信号は、テレビジョン放送受信装置１２に供給される。
【００１０】
このテレビジョン放送受信装置１２は、入力されたテレビジョン放送信号に対して選局処理や復元処理等を施して元の映像信号及び音声信号を復元する。そして、この復元された映像信号がモニタ１３によって映像表示される。また、復元された音声信号がスピーカ１４によって音声再生される。
【００１１】
このテレビジョン放送受信装置１２は、インターネット等のネットワーク情報網１５に接続されている。そして、このテレビジョン放送受信装置１２は、ネットワーク情報網１５にアクセスして所望の情報を取得し、その映像成分をモニタ１３に映像表示させるとともに、音声成分をスピーカ１４に音声再生させる。
【００１２】
ここで、このテレビジョン放送受信装置１２は、詳細は後述するが、所定のテレビジョン放送チャンネルを受信している状態で、ネットワーク情報網１５へのアクセスに切り替えられると、ネットワーク情報網１５から取得した情報の映像成分をモニタ１３に映像表示する。
【００１３】
このとき、テレビジョン放送受信装置１２は、先に受信していたテレビジョン放送チャンネルから得られた音声信号をスピーカ１４に音声再生させるように動作する。これにより、ユーザは、ネットワーク情報網１５から取得した情報の映像を見ながら、先に選局していたテレビジョン放送チャンネルの音声を聞くことができる。
【００１４】
また、ネットワーク情報網１５から取得した情報の音声成分については、その再生が要求されている期間だけ、テレビジョン放送チャンネルの音声信号に代えてスピーカ１４に供給され、音声再生される。そして、音声成分の再生が終了した場合には、再び、同じテレビジョン放送チャンネルにおける音声信号の再生が行なわれる。
【００１５】
このように、ネットワーク情報網１５から取得した情報の映像成分をモニタ１３に映像表示させ、スピーカ１４には、先に受信していたテレビジョン放送チャンネルにおける音声信号を再生させることにより、ユーザは、ネットワーク情報網１５から取得した情報を見ながらテレビジョン放送の音声を聞くことができる。
【００１６】
これにより、ユーザは、ネットワーク情報を見ている状態であっても、音声を聞くことによってテレビジョン放送番組の概略を把握することができるので、必要なタイミングで元のテレビジョン放送番組の視聴に戻ることができ、スピーカ１４を含む音声再生系を有効に活用して、ユーザにとっての利便性の向上を図ることができる。
【００１７】
また、ネットワーク情報網１５から取得した情報の音声成分については、その再生が要求されている期間だけ、テレビジョン放送チャンネルの音声信号に代えてスピーカ１４に供給されて音声再生されるので、ネットワーク情報を見ながらの操作時等に、効果音を聞くことができる。
【００１８】
図２は、上記テレビジョン放送受信装置１２の詳細を示している。すなわち、上記アンテナ１１で受信されたテレビジョン放送信号は、入力端子１６を介して選局処理部１７に供給される。この選局処理部１７は、入力されたテレビジョン放送信号から所望の放送チャンネルのテレビジョン信号を選局している。
【００１９】
そして、この選局処理部１７で選局されたテレビジョン信号は、入力映像処理部１８及び入力音声処理部１９にそれぞれ供給される。このうち、入力映像処理部１８は、入力されたテレビジョン信号の映像成分に対してデコード処理を施し、フィールドまたはフレーム単位の映像信号を復元して、出力映像処理部２０に出力している。また、上記入力音声処理部１９は、入力されたテレビジョン信号の音声成分に対してデコード処理を施し、音声信号を復元して出力音声処理部２１に出力している。
【００２０】
ここで、このテレビジョン放送受信装置１２は、ウェブブラウザ処理部２２を有している。このウェブブラウザ処理部２２は、上記ネットワーク情報網１５に対するアクセス要求を発生し、通信処理部２３及び接続端子２４を介して、ネットワーク情報網１５に送出することができる。
【００２１】
また、ネットワーク情報網１５から得られるウェブコンテンツは、接続端子２４及び通信処理部２３を介してウェブブラウザ処理部２２に供給される。この場合、ウェブブラウザ処理部２２は、入力されたウェブコンテンツから、表示すべきビットマップ映像信号を生成して上記出力映像処理部２０に出力している。また、ウェブブラウザ処理部２２は、入力されたウェブコンテンツから、効果音等の音声信号を生成して上記出力音声処理部２１に出力している。
【００２２】
そして、出力映像処理部２０は、上記入力映像処理部１８から供給された映像信号と、上記ウェブブラウザ処理部２２から供給されたビットマップ映像信号とを、選択的に（または両映像信号を重畳してもよい）出力端子２５を介して上記モニタ１３に出力し映像表示させる。
【００２３】
また、出力音声処理部２１は、上記入力音声処理部１９から供給された音声信号と、上記ウェブブラウザ処理部２２から供給された音声信号とを、選択的に（または両音声信号を重畳してもよい）出力端子２６を介して上記スピーカ１４に出力し音声再生させる。
【００２４】
ここで、このテレビジョン放送受信装置１１は、上記した動作を含むその全ての動作をＣＰＵ（Central Processing Unit）２７によって統括的に制御されている。このＣＰＵ２７は、リモートコントローラ等を含む操作部２８から送出された操作情報を受信し、その操作内容が反映されるように各回路部をそれぞれ制御している。
【００２５】
この場合、ＣＰＵ２７は、メモリ部２９を利用している。すなわち、このメモリ部２９は、ＣＰＵ２７が実行する制御プログラムを格納した読み出し専用メモリ、ＣＰＵ２７に作業エリアを提供する読み出し書き込みメモリ、各種の設定情報及び制御情報等が格納される不揮発性メモリ等を含んでいる。
【００２６】
図３は、このテレビジョン放送受信装置１１の主要な動作をまとめたフローチャートを示している。すなわち、処理が開始（ステップＳ１）されると、ＣＰＵ２７は、ステップＳ２で、ユーザの選局操作に基づき所定のテレビジョン放送チャンネルを選局し、その放送番組の映像を表示させ音声を再生させる。
【００２７】
そして、ＣＰＵ２７は、ステップＳ３で、ユーザの操作によるウェブブラウザの起動が要求されたか否かを判別し、要求されていないと判断された場合（ＮＯ）、ステップＳ２の処理に戻されてテレビジョン放送の視聴が継続される。
【００２８】
また、上記ステップＳ３でウェブブラウザの起動が要求されたと判断された場合（ＹＥＳ）、ＣＰＵ２７は、ステップＳ４で、先に視聴していたテレビジョン放送番組の音声を再生するように設定されているか否かを判別する。この設定は、ユーザによって予め行なわれている。
【００２９】
そして、このステップＳ４で、先に視聴していたテレビジョン放送番組の音声を再生するように設定されていないと判断された場合（ＮＯ）、ＣＰＵ２７は、ステップＳ５で、出力音声処理部２１に対して入力音声処理部１９から供給された音声信号を出力させないように制御する。
【００３０】
その後、ＣＰＵ２７は、ステップＳ６で、ユーザの操作によるウェブブラウザの終了が要求されたか否かを判別し、要求されていないと判断された場合（ＮＯ）、ステップＳ５の処理に戻されてウェブブラウザの起動が継続される。
【００３１】
また、上記ステップＳ６でウェブブラウザの終了が要求されたと判断された場合（ＹＥＳ）、ＣＰＵ２７は、ステップＳ７で、ウェブブラウザを終了させてステップＳ２の処理に戻り、再び、先に受信していたテレビジョン放送の視聴が開始される。
【００３２】
一方、前記ステップＳ４で、先に視聴していたテレビジョン放送番組の音声を再生するように設定されていると判断された場合（ＹＥＳ）、ＣＰＵ２７は、出力音声処理部２１に対して入力音声処理部１９から供給された音声信号を出力させるように制御する。これにより、モニタ１３にはウェブブラウザ画面が表示され、スピーカ１４からはテレビジョン放送番組の音声が再生される。
【００３３】
そして、ＣＰＵ２７は、ステップＳ８で、ウェブブラウザからの音声再生開始が要求されると、ステップＳ９で、出力音声処理部２１に対してウェブブラウザ処理部２２から供給された音声信号を出力させるように制御して、ウェブブラウザが要求した音声をスピーカ１４に再生させる。
【００３４】
その後、ＣＰＵ２７は、ステップＳ１０で、ウェブブラウザから音声再生の完了通知を受けると、ステップＳ１１で、再び、出力音声処理部２１に対して入力音声処理部１９から供給された音声信号を出力させるように制御する。これにより、モニタ１３にはウェブブラウザ画面が表示され、スピーカ１４からはテレビジョン放送番組の音声が再生される状態となる。
【００３５】
そして、ＣＰＵ２７は、ステップＳ１２で、ユーザの操作によるウェブブラウザの終了が要求されたか否かを判別し、要求されていないと判断された場合（ＮＯ）、ステップＳ８の処理に戻されてウェブブラウザの起動が継続される。
【００３６】
また、上記ステップＳ１２でウェブブラウザの終了が要求されたと判断された場合（ＹＥＳ）、ＣＰＵ２７は、ステップＳ１３で、ウェブブラウザを終了させてステップＳ２の処理に戻り、再び、先に受信していたテレビジョン放送の視聴が開始される。
【００３７】
上記した実施の形態によれば、テレビジョン放送番組の視聴中にウェブブラウザの起動が要求された場合、ウェブブラウザの映像をモニタ１３に表示させ、スピーカ１４には、先に受信していたテレビジョン放送番組の音声信号を再生させるようにしたので、ユーザは、ウェブブラウザ画面を見ながらテレビジョン放送の音声を聞くことができる。
【００３８】
これにより、ユーザは、例えばウェブブラウザを画面上で操作しながらも、音声を聞くことによってテレビジョン放送番組の概略を把握することができるので、必要なタイミングで元のテレビジョン放送番組の視聴に戻ることができ、スピーカ１４を含む音声再生系を有効に活用して、ユーザにとっての利便性の向上を図ることができる。
【００３９】
また、ウェブブラウザの音声については、その再生が要求されている期間だけ、テレビジョン放送番組の音声に代えてスピーカ１４で音声再生されるので、ウェブブラウザの操作時等に効果音を聞くことができる。
【００４０】
さらに、ウェブブラウザの起動中に、受信するテレビジョン放送チャンネルを変更した場合には、変更した放送チャンネルの音声が再生されるようになり、このような点でも、ユーザにとっての利便性の向上を図ることができる。
【００４１】
また、上記した実施の形態では、ウェブブラウザ画面の表示中に、テレビジョン放送信号から復元した音声信号を再生するようにしたが、再生する音声信号としては、例えば外部のＶＴＲ（Video Tape Recorder）等から外部入力として供給される音声信号であっても良いものである。
【００４２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。
【図面の簡単な説明】
【００４３】
【図１】この発明の実施の形態を示すもので、テレビジョン放送受信システムの概略を説明するために示す図。
【図２】同実施の形態におけるテレビジョン放送受信装置の詳細を説明するために示すブロック構成図。
【図３】同実施の形態におけるテレビジョン放送受信装置の主要な動作を説明するために示すフローチャート。
【符号の説明】
【００４４】
１１…アンテナ、１２…テレビジョン放送受信装置、１３…モニタ、１４…スピーカ、１５…ネットワーク情報網、１６…入力端子、１７…選局処理部、１８…入力映像処理部、１９…入力音声処理部、２０…出力映像処理部、２１…出力音声処理部、２２…ウェブブラウザ処理部、２３…通信処理部、２４…接続端子、２５…出力端子、２６…出力端子、２７…ＣＰＵ、２８…操作部、２９…メモリ部。
【図１】
2005136915.tif 000003
【図２】
2005136915.tif 000004
【図３】
2005136915.tif 000005